(57)【要約】【課題】テレビジョン放送におけるコマーシャル放送においてイベント及びお店等の情報をユーザに対して一方的に知らせていた。ＴＶ放送のＣＭだけでは詳しい情報をユーザは知ることができず、場所等についてはＣＭ内に流れる住所をユーザが見てユーザ自身が地図で調べる必要があった。【解決手段】前記課題を解決するために、本発明では放送局１０１から流れるＣＭのアナログ放送ではＶＢＩ、ディジタル放送ではパケットヘッダ内に付加情報（電話番号、住所）を重畳させ、さらに情報処理装置では、予め記憶媒体１０５に地図情報を記憶させておき、付加情報取得部１０９でＣＭから取得した付加情報（住所、電話番号）と情報処理装置の記憶媒体１０５の地図データをリンクさせることにより、ＣＭに関する地図情報をユーザに提供することができる。【選択図】  図１
2005012333.tif 000002
【特許請求の範囲】
【請求項１】
テレビジョン放送として放送されてくる番組に関連する関連情報を受信して処理する情報処理装置であって、前記放送されてくる番組と同時に送信される関連情報１と、前記情報処理装置には予め放送されてくる番組に関連する詳細な関連情報２を記録可能な記録手段を有し、受信した前記関連情報１を認識する認識手段を有し、認識した前記関連情報１をもとに予め記録された関連情報２に含まれる前記情報１に関連する詳細な関連情報３を抽出する抽出手段にて抽出するとともに、前記関連情報３を表示手段にて表示することを特徴とした情報処理方法。
【請求項２】
請求項１記載の情報処理方法において、テレビジョン放送として放送されてくる番組に関連する関連情報１はテレビジョン放送のアナログ放送のＶｅｒｔｉｃａｌ  Ｂｌａｎｋｉｎｇ  ｉｎｔｅｒｖａｌ（ＶＢＩ）またはディジタル放送の  パケットヘッダまたは別パケットで送信されてくることを特徴とした情報処理方法。
【請求項３】
請求項１記載の情報処理方法において、テレビジョン放送として放送されてくる番組と同時に送信される関連情報１は電話番号もしくは住所情報であることを特徴とした情報処理方法。
【請求項４】
請求項１記載の情報処理方法において、前記情報処理装置に予め記録された関連情報２は地図情報であることを特徴とした情報処理方法。
【請求項５】
請求項１記載の情報処理方法にいて、前記関連情報１をもとに前記関連情報２の中から前記関連情報３を抽出するか否かをユーザが判断するための画像をオンスクリーンディスプレイ（ＯＳＤ）として画面表示することを特徴とした情報処理方法。
【請求項６】
テレビジョン放送として放送されてくる番組に関連する関連情報を受信して処理する情報処理装置であって、前記放送されてくる番組と同時に送信される関連情報１と、前記情報処理装置には予め放送されてくる番組に関連する詳細な関連情報２を記録可能な記録手段を有し、受信した前記関連情報１を認識する認識手段を有し、認識した前記関連情報１をもとに予め記録された関連情報２に含まれる前記情報１に関連する詳細な関連情報３を抽出する抽出手段にて抽出するとともに、抽出された前記関連情報１及び関連情報３の結果を前記記録手段に記録することを特徴とした情報処理方法。
【請求項７】
請求項６記載の情報処理方法において、ユーザが前記画像をクリックすることで前記関連情報３を呼び出すことができることを特徴とした情報処理方法。
【請求項８】
請求項６および７記載の情報処理方法において、前記情報処理装置はリングバッファである一時保存領域及び永久に保存可能な永久保存領域をもち、前記関連情報３を前記情報処理装置に記録する際、一旦リングバッファである前記一時保存領域に保存し、さらにユーザの選択により、永久保存領域に保存可能なことを特徴とした情報処理方法。
【請求項９】
請求項６から８記載の情報処理方法において、前記一時保存領域はＭＰＥＧ方式で保存を行い、前記永久保存領域はＪＰＥＧ方式で保存することを特徴とした情報処理方法。
【請求項１０】
請求項１から９記載の情報処理方法において、前記関連情報２はネットワークあるいは他の記録媒体等を使用して新規インストールあるいはアップデートを行うことを特徴とした情報処理方法。
【請求項１１】
請求項１０記載の情報処理方法において、前記関連情報２をアップデートした際、前記関連情報２をアップデートする前に保存しておいた前記関連情報１及び関連情報３とアップデートした後の前記関連情報２を自動で比較し再保存を行うことを特徴とした情報処理方法。
【請求項１２】
請求項１から１１記載の情報処理方法を用いることを特徴とした情報処理装置。
【発明の詳細な説明】
【０００１】
【発明の属する技術分野】
本発明は、テレビジョン放送として放送されてくる番組を受信し、ランダムアクセス可能なディスク記録媒体を使用して記録再生を行うシステムに関し、番組内のアナログ放送のＶＢＩ（Ｖｅｒｔｉｃａｌ  Ｂｌａｎｋｉｎｇ  Ｉｎｔｅｒｖａｌ）もしくはディジタル放送のパケットヘッダ内の情報をもとにユーザに番組の詳細情報を、効率的に提供ができるようにする情報処理方法および装置に関するものである。
【０００２】
【従来の技術】
従来、テレビジョン（以下ＴＶ）放送におけるコマーシャル（以下ＣＭ）放送においてイベント及びお店等の情報をユーザに対して一方的に知らせていた。ＴＶ放送のＣＭだけでは詳しい情報をユーザは知ることができず、場所等についてはＣＭ内に流れる住所をユーザが見てユーザ自身が地図で調べる必要があった。それを解決するために情報配信装置もしくはＴＶ放送からイベントもしくはテーマパーク等の詳細な情報をすべて送信し、ユーザは携帯端末にてその情報を受信し詳細情報を知るようにしていた（例えば特許文献１参照。）。
【０００３】
また、ディジタル放送にて本放送とは別にＣＳ放送を利用してＣＭの詳細情報を補完放送し、ユーザがそれを選択することにより、ＣＭの詳しい情報を知るようにしていた（例えば特許文献２参照。）。
【０００４】
【特許文献１】
特開２００２−１２３６４０号公報（第３−４頁、第１図、第２図）
【特許文献２】
特開２００１−３６８３３号公報（第３−４頁、第１図）
【０００５】
【発明が解決しようとする課題】
従来、テレビジョン（以下ＴＶ）放送におけるコマーシャル（以下ＣＭ）放送においてイベント及びお店等の情報をユーザに対して一方的に知らせていた。ＴＶ放送のＣＭだけでは詳しい情報をユーザは知ることができず、場所等についてはＣＭ内に流れる住所をユーザが見てユーザ自身が地図で調べる必要があった。その解決案として特開２００２−１２３６４０及び特開２００１−３６８３３があるが、このどちらの方法でも、配信側でＣＭ及びイベント情報等の詳細情報すべてを送信するため、送信するデータ量が多くなり、さらに受信側での処理が困難となる。しかも、特開２００１−３６８３３では本放送が流れているにもかかわらず、ＣＭ放送をユーザが選択した場合は本放送が小画面で表示され、本放送を見逃す可能性がある。
【０００６】
【課題を解決するための手段】
前記課題を解決するために、本発明の情報処理方法は、テレビジョン放送として放送されてくる番組に関連する関連情報を受信して処理する情報処理装置であって、前記放送されてくる番組と同時に送信される関連情報１と、前記情報処理装置には予め放送されてくる番組に関連する詳細な関連情報２を記録可能な記録手段を有し、受信した前記関連情報１を認識する認識手段を有し、認識した前記関連情報１をもとに予め記録された関連情報２に含まれる前記情報１に関連する詳細な関連情報３を抽出する抽出手段にて抽出するとともに、前記関連情報３を表示手段にて表示することを特徴としたものである。
【０００７】
また、本発明の請求項２記載の発明は、請求項１記載の情報処理方法において、テレビジョン放送として放送されてくる番組に関連する関連情報１はテレビジョン放送のアナログ放送のＶｅｒｔｉｃａｌ  Ｂｌａｎｋｉｎｇ  ｉｎｔｅｒｖａｌ（ＶＢＩ）またはディジタル放送の  パケットヘッダまたは別パケットで送信されてくることを特徴とした
また、本発明の請求項３記載の発明は、請求項１記載の情報処理方法において、テレビジョン放送として放送されてくる番組と同時に送信される関連情報１は電話番号もしくは住所情報であることを特徴としたものである。
【０００８】
また、本発明の請求項４記載の発明は、請求項１記載の情報処理方法において、前記情報処理装置に予め記録された関連情報２は地図情報であることを特徴としたものである。
【０００９】
また、本発明の請求項５記載の発明は、請求項１記載の情報処理方法にいて、前記関連情報１をもとに前記関連情報２の中から前記関連情報３を抽出するか否かをユーザが判断するための画像をオンスクリーンディスプレイ（ＯＳＤ）として画面表示することを特徴としたものである。
【００１０】
また、本発明の請求項６記載の発明は、テレビジョン放送として放送されてくる番組に関連する関連情報を受信して処理する情報処理装置であって、前記放送されてくる番組と同時に送信される関連情報１と、前記情報処理装置には予め放送されてくる番組に関連する詳細な関連情報２を記録可能な記録手段を有し、受信した前記関連情報１をもとに予め記録された関連情報２に含まれる前記情報１に関連する詳細な関連情報３を抽出する抽出手段にて抽出するとともに、抽出された前記関連情報１及び関連情報３の結果を前記記録手段に記録することを特徴としたものである。
【００１１】
また、本発明の請求項７記載の発明は、請求項６記載の情報処理方法において、ユーザが前記画像をクリックすることで前記関連情報３を呼び出すことができることを特徴としたものである。
【００１２】
また、本発明の請求項８記載の発明は、請求項６および７記載の情報処理方法において、前記情報処理装置はリングバッファである一時保存領域及び永久に保存可能な永久保存領域をもち、前記関連情報３を前記情報処理装置に記録する際、一旦リングバッファである前記一時保存領域に保存し、さらにユーザの選択により、永久保存領域に保存可能なことを特徴としたものである。
【００１３】
また、本発明の請求項９記載の発明は、請求項６から８記載の情報処理方法において、前記一時保存領域はＭＰＥＧ方式で保存を行い、前記永久保存領域はＪＰＥＧ方式で保存することを特徴としたものである。
【００１４】
本発明によれば、ＴＶ放送から一方的に流れてくるＣＭからユーザは即座にＣＭの詳細情報を知ることができ、さらに記録媒体にその情報を記録しておき、後でその情報を視聴することができ、かつ情報配信側は少しの情報を配信するだけですみ、配信側も受信側も処理を簡単に行うことが可能となる情報処理方法を提供できる。
【００１５】
また、本発明の請求項１０記載の発明は、請求項１から９記載の情報処理方法において、前記関連情報２はネットワークあるいは他の記録媒体等を使用して新規インストールあるいはアップデートを行うことを特徴としたものである。
【００１６】
この方法を用いることにより、予め情報処理装置内に記憶させておいた情報にＴＶ放送から流れてくる番組の情報が含まれていなかった場合でもその番組の詳細情報をユーザが知ることができる。また、予め情報処理装置内に記憶させておいた情報が古くなった場合においても、情報処理装置内の情報を即座に最新のものにアップデートすることができる。
【００１７】
また、本発明の請求項１１記載の発明は、請求項１０記載の情報処理方法において、前記関連情報２をアップデートした際、前記関連情報２をアップデートする前に保存しておいた前記関連情報１及び関連情報３とアップデートした後の前記関連情報２を自動で比較し再保存を行うことを特徴としたものである。
【００１８】
この方法を用いることにより、予め情報処理装置内に記憶させておいた情報を最新のものにアップデートした場合にアップデートする前に保存しておいたＴＶ放送の番組に詳細情報も同時にアップデートすることができる。
【００１９】
【発明の実施の形態】
以下本発明の実施の形態について、図面を参照にしながら説明する。
【００２０】
（実施の形態１）
本発明の請求項１から請求項９に記載された発明の実施の形態について、図１、図２、図３を用いて説明する。
【００２１】
図１は本発明の実施の形態１による情報処理装置のブロック図を示す。図１において、放送局１０１はアナログ放送もしくはディジタル放送を送信する。放送局１０１がアナログ放送もしくはディジタル放送にてＣＭを送信する際、付属情報としてアナログ放送であればＶＢＩ期間に、ディジタル放送であれば、パケットヘッダにそのＣＭに流れているイベントもしくはお店等の住所または電話番号を重畳して送信する。次に情報処理装置のアンテナ１０２でその放送波を受信する。アンテナで受信した信号がチューナを含むフロントエンド部１０３に送られ、フロントエンド部１０３にて入力された信号の復調を行う。次に受信した放送がアナログ放送であれば復調された信号がＭＰＥＧ、ＪＰＥＧエンコード部１０４に入力され、ＭＰＥＧストリームに変換され、記録媒体コントローラ１０６を介し記録媒体１０５に記録される。受信した放送がディジタル放送であれば、復調された信号がＭＰＥＧ、ＪＰＥＧエンコード部１０４をスルーし、記録媒体コントローラ１０６を介し、記録媒体１０５に記録される。ここで、記録媒体１０５はランダムアクセス可能なディスク媒体である。次に再生する場合は記録媒体１０５に記録されたデータを記録媒体コントローラ１０６を介しＭＰＥＧ、ＪＰＥＧデコード部１０７に入力し、ＭＰＥＧ、ＪＰＥＧデコード部１０７に入力されたデータがＭＰＥＧデータであればＭＰＥＧデコード、ＭＰＥＧ、ＪＰＥＧデコード１０７に入力されたデータがＪＰＥＧデータであればＪＰＥＧデコードを行い、ＤＡ変換部１０８でディジタルアナログ変換を行い、再生する。ここで記録媒体コントローラ１０６は記録媒体を制御するコントローラである。また、付属情報取得部１０９は放送波に含まれる付属情報の有無を判定し付属情報がある場合は取得する。ＣＰＵ１１０はフロントエンド部１０３、ＭＰＥＧ、ＪＰＥＧエンコード部１０４、記録媒体コントローラ１０６、ＭＰＥＧ、ＪＰＥＧデコード部１０７、ＤＡ変換部１０８、付属情報取得部１０９を制御する。
【００２２】
図２は本発明の実施の形態１における情報処理方法を示すフローチャートである。まず、ステップ２０１はＣＭの受信をフロントエンド部１０３で行う。ステップ２０２はステップ２０１で受信したＣＭのなかの付属情報の有無を判定する。ＣＭのなかに付属情報がない場合は再びステップ２０１におけるＣＭ受信を行う。受信したＣＭに付属情報があれば、ステップ２０３において、付属情報取得部１０９で付属情報を取得し、さらに記録媒体１０５に予め記憶させておいた地図情報から取得した付属情報に一致する地図を検索する。次にステップ２０４において、現在流れているＣＭに地図情報があることをユーザに知らせるための画像をＯＳＤにてモニタに表示する。次にステップ２０５では、ユーザが現在流れているＣＭの地図情報を呼び出すか否かの選択を行う。ユーザがＣＭの地図情報を呼び出さない場合は再びステップ２０１のＣＭ受信を行う。ユーザがＣＭの地図情報を呼び出した場合は現在流れているＣＭの地図情報の表示を行い、自動でＣＭ及び地図情報を記録媒体１０５に一時保存する。ここで、記録媒体１０５はランダムアクセス可能なディスク媒体で追っかけ再生が可能であり、本放送をユーザが見逃さないために追っかけ再生を使用する。ステップ２０７では一時保存したＣＭ及び地図情報を永久保存するかどうかをユーザが選択し、永久保存しない場合は再びステップ２０１におけるＣＭ受信を行う。永久保存する場合は記録媒体１０５にユーザにより選択されたＣＭについてＣＭと地図情報を永久保存する。
【００２３】
次に、図３は記録媒体１０５の保存領域を示している。ＣＭ一時保存領域３０１にはＣＭ及び地図情報を一時保存する（図２におけるステップ２０６）。ＣＭ一時保存領域３０１はＭＰＥＧストリームで保存する。さらに古いデータから自動で削除できるようにＣＭ一時保存領域３０１はリングバッファにする。ＣＭ永久保存領域３０２はユーザがＣＭ及び地図情報を永久保存することを選択した場合にＣＭ及び地図情報を永久保存する領域である（図２におけるステップ２０７、ステップ２０８）。ここで、ＣＭ一時保存領域３０１に保存されたＭＰＥＧデータをＭＰＥＧ、ＪＰＥＧエンコード部１０４でＪＰＥＧに変換しＣＭ永久保存領域３０２にＪＰＥＧデータで保存する。映像、音声保存領域３０３はテレビジョン放送の映像及び音声を保存する領域である。地図情報保存領域３０４は予め地図情報を記憶させておく領域である。
【００２４】
（実施の形態２）
本発明の請求項１０に記載された発明の実施の形態について、図４、図５、図６を用いて説明する。なお、前述した実施の形態と同じ構成については同じ符号を用い、説明を省略する。
【００２５】
図４は本発明の実施の形態２による情報処理装置のブロック図を示している。通信網４０１はモデムもしくはイーサーネットを示しており、サーバー４０２及びホームページ４０３にアクセスする際に使用する。サーバー４０２は電話番号もしくは住所のみでホームページ４０３にアクセスできるよう電話番号もしくは住所とＩＰアドレスをリスト化して持っている。ホームページ４０３はＣＭに関するホームページである。
【００２６】
図５は本発明の実施の形態２における情報処理方法を示すフローチャートである。ステップ２０３で付属情報を取得し、地図情報の検索を行う。次にステップ５０１で記録媒体１０５に予め記憶させておいた地図情報内に取得した付属情報に一致する地図情報があればステップ２０４に進む。ステップ５０１で記録媒体１０５に予め記憶させておいた地図情報内に取得した付属情報に一致する地図情報がなければ、ステップ５０２において現在流れているＣＭに関する地図情報がないことをＯＳＤにて表示する。次にステップ５０３においてホームページ４０３からＣＭの地図情報をダウンロードするかどうかユーザにて判断する。ホームページ４０３からＣＭの地図情報をダウンロードしない場合は再びステップ２０１にてＣＭの受信を行う。ホームページ４０３からＣＭの地図情報をダウンロードする場合はまずサーバー４０２にアクセスし、取得したＣＭの付属情報を送信し、ＣＭのＩＰアドレスを取得する。次に取得したＩＰアドレスを元にＣＭのホームページ４０３にアクセスし、ステップ５０５でＣＭのホームページ４０３からＣＭの地図情報を取得し、ステップ２０６に進み、ＣＭ及び地図情報を一時保存する。ここで説明したステップ以外のステップは本発明の実施の形態１と同じである。
【００２７】
図６はアップデートに関する情報処理方法のブロック図を示している。記憶媒体１０５には予め地図情報を記憶させておく。しかしながら、予め記憶させておいた地図情報は時間がたつにつれてデータ自体が古くなってしまい、現在流れているＣＭとの整合性が取れなくなってしまう。そこで、情報提供事業者６０１において情報配信装置６０２に最新地図情報データを入れておく。さらに情報処理装置において自動もしくは、ユーザの意思により、情報配信装置の通信網４０１を用いて最新地図情報データをダウンロードし、情報処理装置に記憶させている地図データを最新の地図情報データに置き換える。また、情報提供事業者６０１は光ディスクに最新地図情報データを記録し、配信する場合もある。
【００２８】
（実施の形態３）
本発明の請求項１１に記載された発明の実施の形態について、図７を用いて説明する。なお、前述した実施の形態と同じ構成については同じ符号を用い、説明を省略する。
【００２９】
図７は本発明の実施の形態３による情報処理方法のフローチャートを示している。まず、ステップ７０１において情報処理装置内の地図データを最新の地図データにアップデートを行う。次に過去に保存していたＣＭ及び地図データと最新の地図データの整合性をとり、最新の地図データにおいても過去に保存したデータと同じものがあれば、最新の地図データにおけるＣＭの地図データとＣＭを再保存する（ステップ７０５）。最新の地図データにおいて過去に保存したデータと同じものがなければ、ホームページを検索する（ステップ７０３）。ステップ７０３の方法は実施の形態２におけるホームページのアクセス方法を用いる。次にホームページから過去に保存したＣＭの情報を取得し、最新地図データを再保存する（ステップ７０５）。
【００３０】
【発明の効果】
以上のように本発明によれば、ＴＶ放送から一方的に流れてくる番組（ＣＭ）からユーザは本放送を見逃すことなく即座にその番組の詳細情報を知ることができ、さらに記録媒体にその情報を記録しておき、後でその情報を視聴することができる。さらに情報配信側は少しの情報を配信するだけで、配信側も受信側も処理を簡単に行うことができる。
【図面の簡単な説明】
【図１】本発明の実施の形態１における情報処理方法のブロック図
【図２】本発明の実施の形態１における情報処理方法のフローチャート
【図３】本発明の実施の形態１における記録媒体の領域図
【図４】本発明の実施の形態２における情報処理方法のブロック図
【図５】本発明の実施の形態２における情報処理方法のフローチャート
【図６】本発明の実施の形態２におけるアップデート情報処理方法のブロック図
【図７】本発明の実施の形態３における情報処理方法のブロック図
【符号の説明】
１０１  放送局
１０２  アンテナ
１０３  フロントエンド部
１０４  ＭＰＥＧ、ＪＰＥＧエンコーダ部
１０５  記録媒体
１０６  記録媒体コントローラ
１０７  ＭＰＥＧ、ＪＰＥＧデコーダ部
１０８  ＤＡ変換部
１０９  付属情報取得部
１１０  ＣＰＵ
１１１  情報処理装置
４０１  通信網
４０２  サーバー
４０３  ホームページ
６０１  情報提供事業者
６０２  情報配信装置
【図１】
2005012333.tif 000003
【図２】
2005012333.tif 000004
【図３】
2005012333.tif 000005
【図４】
2005012333.tif 000006
【図５】
2005012333.tif 000007
【図６】
2005012333.tif 000008
【図７】
2005012333.tif 000009